(57)【要約】      （修正有）【課題】人体に対して冷却作用及び加温作用が備わった寝具を提供する。【解決手段】抱き枕３０では、抱き枕カバーが、外側からプリント消臭層３１a、冷却層３２、断熱層３３、加温層３４、消臭層３１ｂの順に積層された構造となっており、内部のクッション３７を覆っている。この抱き枕カバーは、裏表反転させて、外側から消臭層３１ｂ、加温層３４、断熱層３３、冷却層３２、消臭層３１aとすることもできる。したがって、夏には消臭層３１a側を外側表面に、冬には消臭層３１ｂ側を外側表面にして使用すれば、一年を通して快適に使用することができる。【選択図】図３
2016016032.tif 000002
【特許請求の範囲】
【請求項１】
人体に対して冷却作用のある素材からなる冷却層と、
この冷却層に積層され、熱を通しにくい断熱層と、
この断熱層に対して、上記冷却層とは反対側に積層される、人体に対して加温作用のある素材からなる加温層とからなる寝具。
【請求項２】
上記積層される冷却層、断熱層、加温層を折り曲げて、外側に冷却層を配置する、または反対側に折り曲げて外側に加温層を配置する折り曲げ部と、
この積層された冷却層、断熱層、加温層の端に設けられ、上記折り曲げられた両端を連結して、この折り曲げられた状態を保持する連結部とを備えたことを特徴とする請求項１記載の寝具。
【請求項３】
上記冷却層、断熱層及び加温層のいずれかまたは全部の間、若しくは冷却層の外側、または加温層の外側には、消臭作用のある層が積層されている、若しくは上記冷却層、断熱層または加温層に消臭効果が付加されていることを特徴とする請求項２記載の寝具。
【請求項４】
上記寝具には受信手段が内蔵され、外部の発信手段からの信号を音声に変換して寝具利用者に発音することを特徴とする請求項２記載の寝具。
【請求項５】
上記寝具には送信手段が内蔵され、寝具利用者の音または声を信号に変換して外部の受信手段に送信することを特徴とする請求項２記載の寝具。
【請求項６】
上記寝具は、抱き枕、枕、掛布団、敷布団、寝袋、枕カバー、布団カバー、座布団であることを特徴とする請求項２記載の寝具。
【請求項７】
上記連結部は、線ファスナー、面ファスナー、上記寝具を外側から拘束する通気性の高いカバーまたはバンドであることを特徴とする請求項６記載の寝具。
【発明の詳細な説明】
【技術分野】
【０００１】
本発明は、寝具、特に人体に対する冷却作用と加温作用をともに備えた安眠及び癒し効果の高い寝具に関する。
【背景技術】
【０００２】
寝具等は季節または気温によって、適した素材が異なり、気温の上がる春夏には人体に対して冷却作用のある素材が、また気温の低い秋冬には人体に対して加温作用にある素材が好まれる。このため、様々な冷却作用、加温作用のある素材が開発され、寝具の表裏に異なった素材を使用して、表裏裏返して使用することにより、夏冬兼用できる寝具が提案されている。
【０００３】
【特許文献１】特開２００７−００７４３６号公報
【発明の開示】
【発明が解決しようとする課題】
【０００４】
しかし、冷却作用と加温作用は相反する作用であるため、寝具の表裏の一方に冷却素材、他方に加温素材を用いると、冷却作用と加温作用は互いに打ち消し合って、どちらの作用効果も充分に発揮できないなどの欠点があった。
【課題を解決するための手段】
【０００５】
上記課題を解決するため、本発明では、人体に対して冷却作用のある素材からなる冷却層と、この冷却層に積層され、熱を通しにくい断熱層と、この断熱層に対して、上記冷却層とは反対側に積層される、人体に対して加温作用のある素材からなる加温層とからなる寝具を提供する。
【発明の効果】
【０００６】
本発明の寝具によれば、人体に対して冷却作用のある素材からなる層と人体に対して加温作用のある素材からなる層が、その間に位置する断熱層によって遮蔽されるため、互いに直接接触することがなく、冷却作用と加温作用が互いに打ち消し合うことがなく、それぞれの作用効果を充分に発揮することができ、季節や気温などに合わせて快適に使用することができる。
【図面の簡単な説明】
【０００７】
【図１】寝具１０（布団）（第一実施形態）の断面を示す。
【図２】寝具２０（布団カバー）（第二実施形態）の断面を示す。
【図３】寝具３０（抱き枕）（第三実施形態）の断面を示す。
【図４】寝具３０の発音手段（第三実施形態）の使用状態を示す。
【図５】寝具４０（抱き枕）（第四実施形態）の断面を示す。
【図６】寝具４０（抱き枕）（第四実施形態）の断面を示す。
【符号の説明】
【０００８】
１０…布団  １１a…消臭層  
１１ｂ…消臭層  １２…冷却層  
１３…断熱層  １４…加温層  
２０…布団カバー  ２１a…消臭層  
２１ｂ…消臭層 ２２…冷却層  
２３…断熱層  ２４…加温層  
２５…折り曲げ部  ２６…布団  
２７…ファスナー（連結部）  ３０…抱き枕  
３１…消臭層（図柄なし）  ３１a…プリント消臭層（寒色系）  
３１ｂ…プリント消臭層（暖色系）
３２…冷却層  ３３…断熱層  
３４…加温層  ３５…縫合部（折り曲げ部）  
３６…ファスナー（連結部）  ３７…クッション
４０…抱き枕  ４１…消臭層（図柄なし）
４１a…プリント消臭層（寒色系）
４１ｂ…プリント消臭層（暖色系）  ４２…冷却層  
４３…加温層  ４４…断熱層
４６…クッション  ４７…縫合部（折り曲げ部）
４８…ファスナー（連結部）  ５０…上部
５１…下部  ５２…境界面  
６０…収納部  ６１…ポータブルワイヤーレススピーカー（音声受信手段）
６２…パソコン（音声送信手段）
【発明を実施するための形態】
【０００９】
（１）第一実施形態
本発明の寝具は、抱き枕、枕、掛布団、敷布団、寝袋、枕カバー、布団カバーである。本実施例１の寝具は、掛布団または敷布団であり、図１は本発実施例１による寝具１（掛け布団または敷き布団）の断面を示している。
【００１０】
布団１は、長方形となっており、人体に対して冷却作用のある素材からなる冷却層１２と、この冷却層１２に積層され、熱を通しにくい断熱層１３と、この断熱層１３に対して、上記冷却層１２とは反対側に積層される、人体に対して加温作用のある素材からなる加温層１４とからなっている。
【００１１】
また、布団１は、冷却層１２の外側及び加温層１４の外側には、消臭作用のある層１１a、１１ｂが積層されている、若しくは上記冷却層１２、断熱層１３または加温層１４に消臭効果が付加されている。具体的には、図１に示すように、布団１は、表側表面から順に、消臭層１１a、冷却層１２、断熱層１３、加温層１４、消臭層１１ｂが積層された構造となっている。
【００１２】
消臭層１１a、１１ｂは、光触媒作用による抗菌、消臭、分解作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、シャインアップ（株式会社クラレの登録商標、繊維、布、綿）、ディスメル（東洋紡績株式会社の登録商標、東洋紡績株式会社の商品）、エピコモド（東洋紡績株式会社の登録商標、東洋紡績株式会社の商品）等が使用され、布団１の直接肌に触れる上下の表面に積層されている。
【００１３】
それ以外にも、消臭層１１a、１１ｂの素材としては、バンブー繊維、「サニター３０」（株式会社クラレの製品）、キチキトサン繊維、繊維にカキタンニンを含むまたは、付着された布、その他、消臭機能のある繊維、布などでもよい。
【００１４】
これにより、布団１を衛生的に使用することができ、長期間使用しても臭いが付着しにくくなっている。
【００１５】
冷却層１２は、上記消臭層１１aの下に積層され、吸湿速乾性、吸熱性に優れた接触冷感素材、たとえば「キュープラテ」、「キュープアクア」、「キュープクリアクール」（いずれも東レ株式会社の商品、いずれも東レ株式会社の登録商標）や「クールタッチ」（三菱レイヨン株式会社の登録商標、三菱レイヨン株式会社の商品）などを使用することができる。
【００１６】
「キュープラテ」、「キュープアクア」、「キュープクリアクール」は、高吸放湿ナイロン長繊維「キュープ」（東レ株式会社の登録商標、東レ株式会社の商品）を使用した素材であり、それぞれ、防透け性、吸汗速乾性、接触冷感性が付加された素材であり、高吸放湿性により暑い季節でもムレ感が軽減される。
【００１７】
「キュープラテ」では、可視光線や紫外線を高効率に遮蔽する特殊無機粒子をナイロンポリマーにブレンドしているため、防透け性、ＵＶカット効果を有している。「キュープアクア」では、繊維断面をトライポット型にすることで糸を構成する単糸間に空隙ができ、毛細管現象により高い吸汗性を有する。
【００１８】
また、表面席が広いことから速乾性にもすぐれている。「キュープクリアクール」では、ナイロンポリマー内に屈折率がナイロンポリマーに近い特殊無機粒子をブレンドしているため、可視光が「キュープクリアクール」を使用した寝具に照射されたとき、入射光の屈折率が小さく、光の透過されやすくなる。
【００１９】
冷却層１２の素材としては、吸熱作用のあるゲル等を含む素材を使用することもでき、また、キシリトール加工したものを使用することもできる。夏等、気温の高い季節には、布団１の、冷却層１２側に隣接して積層された消臭層１１aを肌に直接触れさせることによって、ひんやりとした感触を楽しむことができ、蒸し暑い夜でも寝やすくなる。
【００２０】
断熱層１３は、上記冷却層１２の下に積層され、ポリエステル、綿等、空気を内部に多く保持することのできる素材でできている。空気は密度が低いため、熱伝導率が低く、対流が妨げられた状態では、熱を他に伝えることがないため、空気を多く保持する素材は断熱材として使用することができる。この断熱層１３により、冷却層１２と加温層１４が隔てられ、互いに直接接触することがないため、冷却層１２の冷却作用、加温層１４の加温作用が互いに、打ち消し合うことがなく、それぞれの冷却作用、加温作用を充分に発揮することができる。
【００２１】
また、加温層１４は、上記断熱層１３の下に積層され、遠赤外線発生作用等の加温作用を発揮する素材でできており、人体から発した熱を逃がさない構造、または接触する人体に対して遠赤外線を照射して加温する構造となっている。具体的には、「ロンウェーブ」（株式会社クラレの登録商標、株式会社クラレの商品）、羊毛ゼオライト、溶岩シーツ（おとぎの国）、トルマリン粒子が付着した布またはバイネストセラなどが用いられる。「羊毛ゼオライト」、「バイネストセラ」は、天然鉱石であるゼオライトを加工したセラミックスとその微粒子を羊毛などの天然繊維の表面に堅牢に付着させたものでもよい。
【００２２】
このため、冬の気温の低い季節には、布団１の加温層１４側に隣接した消臭層１１ｂ側を肌に直接触れさせることにより、寒い夜でも体が温められ、ぐっすりと眠ることができる。この加温層１４の下に上記消臭層１１ｂが積層されている。消臭層１１ｂと消臭層１１ａと同じものである。よって、消臭層１１a、１１ｂは、冷却層１２の外側、または／及び加温層１４の外側に積層される。
【００２３】
このように、布団１は、人体に対して冷却作用のある素材からなる冷却層１２と、この冷却層１２に積層され、熱を通しにくい断熱層１３と、この断熱層１３に対して、上記冷却層１２とは反対側に積層される、人体に対して加温作用のある素材からなる加温層１４とからなっているため、人体に接する寝具の側を冷却層１２にしたり、加温層１４にしたりして、裏表反転させるだけで、切り換えることができ、気温、季節に合わせて、快適に使用することができ、１つの布団１０で冷却機能と加温機能と簡単に切り替えることができる。
【００２４】
上記積層される消臭層１１a、１１ｂ、冷却層１２、断熱層１３、加温層１４の間は、個別に、またはこれら全体が、縫合、キルティング加工、高周波溶着、接着剤による接着、これらの組み合わせなどによって、分離しないように連結されて積層されている。
【００２５】
この積層は、場合によって、面ファスナー、線ファスナー、スナップボタン、ボタンとボタンホール、フックとホック、紐、バンド、磁石、これらの組み合わせ等によって、分離可能なように、連結されて積層されてもよい。
【００２６】
さらに、消臭層１１a、１１ｂは、周縁で縫合され、または一体形成されて折られて、長方形状の袋とされ、この袋の中に、別体の冷却層１２、断熱層１３、加温層１４が重ねられて収納され、これにより積層されてもよい。
【００２７】
このように、本実施形態の布団１は、人体に対して冷却作用のある素材からなる冷却層１２と、この冷却層１２に積層され、熱を通しにくい断熱層１３と、この断熱層１３に対して、上記冷却層１２とは反対側に積層される、人体に対して加温作用のある素材からなる加温層１４とからなる。また、上記冷却層１２、断熱層１３及び加温層１４のいずれかまたは全部の間、若しくは冷却層１２の外側、または加温層１４の外側には、消臭作用のある層１１a、１１ｂが積層されている、若しくは上記冷却層１２、断熱層１３または加温層１４に消臭効果が付加されている。
【００２８】
（２）第二実施形態
図２は、本発明による布団カバー２０の断面を示している。布団カバー２０は、長方形型の布を、その中央の線対称となる中心軸の直線状の折り曲げ部２５で折り返すように横方向に半分に折り曲げ、この折り曲げられて重なった上下の周縁が、当該折り曲げ縁を除いて、縫い合わせられている。
【００２９】
この折り曲げ部２５と反対の一辺の周縁の表裏に線ファスナーの連結部２７…が縫い合わせられて固定されている。この線ファスナーの連結部２７…は２つの周縁のそれぞれの表裏に取り付けられているので、合計２つ取り付けられている。布団カバー２０の断面は、表側外側の表面から順に、消臭層２１a、冷却層２２、断熱層２３、加温層２４、消臭層２１ｂが積層されており、折り曲げ部２５の中央付近で折り曲げられて、この折り曲げられた内側の内部の布団２６を収納して覆っている。
【００３０】
なお、布団カバー２０は、実際には薄いため、折り曲げ部２５で簡単に折り曲げることができる。図２では、分かりやすくするため折り曲げ部２５は破線の幅を有しているが、漸次薄くなって一点の折り曲げ部２５に収束してもよい。また、ファスナー２７は図２ではわかりやすくするため表裏両方に２つ計４つ記載してある。
【００３１】
しかし、実際にはこの周縁を細くして、ファスナー２７は４つでなく、布団カバー２０の周縁に一つずつ計２つあれば、反転した状態でも布団カバー２０の両端を連結して固定することができる。したがって、線ファスナーの連結部２７は一つずつ計２つでもよい。  
【００３２】
布団カバー２０を、消臭層２１a側を表側にした状態で布団２６を間に挟んで収納して包んで、ファスナー（連結部）２７、２７を連結して、折り曲げ部２５の反対側の両周縁を連結して固定して、この折り曲げられた状態を保持して、抱き枕、枕、掛布団、敷布団、座布団などとして使用できる。
【００３３】
この場合、肌に触れる消臭層２１a側に隣接して、外側に冷却層２２が積層されており、加温層２４との間には断熱層２３が位置するため、冷却層２２の冷却作用が、加温層２４の加温作用に妨げられることがない。このため、肌に触れると、ひんやりとした感触を楽しむことができ、蒸し暑い夜でも寝やすくなる。  
【００３４】
また、線ファスナーの連結部２７…を外して連結を解除し、布団カバー２０の表裏を反転して反対側に裏返すと、表面側から順に、消臭層２１ｂ、加温層２４、断熱層２３、冷却層２２、消臭層２１aとなる。そして、この状態で、線ファスナーの連結部２７…閉じて、この反対側に折り曲げられた状態にして、表裏反転されて裏返された状態が保持される。
【００３５】
この場合、表面の消臭層２１ｂに隣接して、外側に加温層２４が積層され、また、冷却層２２との間には断熱層２３が位置するため、加温層２４の加温作用が、冷却層２２の冷却作用に妨げられることがない。このため、布団カバー２０に触れると、加温層２４の加温効果により、冬でも暖かく休むことができる。これにより、１つの布団カバー２０で冷却機能と加温機能と簡単に切り替えることができる。
【００３６】
この第二実施形態で記載されていないことは、上記第一実施形態で記載されている内容が参照及び引用される。例えば、消臭層２１a、２１ｂ、冷却層２２、断熱層２３、加温層２４、積層構造、その他の構成作用は、それぞれ第一実施形態の消臭層１１a、１１ｂ、冷却層１２、断熱層１３、加温層１４などに使用されたものと同様の素材、構成構造を使用することができる。
【００３７】
つまり、消臭層２１a、２１ｂには、光触媒加工された布、繊維や、バンブー繊維、「サニター３０」（株式会社クラレの商品）、キチキトサン繊維、繊維にカキタンニンを含むまたは、付着された布、その他、消臭機能のある繊維、布などを使用することができ、冷却層２２には、キュープラテなど接触冷感素材が、断熱層２３にはポリエステル等、加温層２４には、ロンウェーブ、羊毛ゼオライト、溶岩シーツ（おとぎの国）などの遠赤外線発生作用のある素材を使用することができる。
【００３８】
このように、本発明の布団カバー２０によれば、冷却層２２と加温層２４が、その間に積層される断熱層２３によって直接触れることがないため、冷却層２２と加温層２４それぞれが冷却作用、加温作用を充分に発揮することができ、季節、気温に応じて、適した素材を表側にして使用することができる。
【００３９】
なお、本第二実施形態のカバーは布団カバー以外にも、かけ布団カバー、枕カバー、抱き枕カバー等にも同様に、冷却層、断熱層、加温層を積層させる構造を採用することができる。また、上記連結部２７は、線ファスナー、面ファスナー、上記寝具を外側から拘束する通気性の高いカバーまたはバンド等なんでもよい。
【００４０】
このように、本発明の寝具は、積層される冷却層２２、断熱層２３、加温層２４を折り曲げて、外側に冷却層２２を配置する、または反対側に折り曲げて外側に加温層２４を配置する折り曲げ部２５と、この積層された冷却層２２、断熱層２３、加温層２４の端に設けられ、上記折り曲げられた両端を連結して、この折り曲げられた状態を保持する連結部２７とを備えている。
【００４１】
なお、上記布団カバー２０の上布層が省略されてもよいし、逆に布団カバー２０の下布層が省略されて、布団カバー２０は、冷却機能のみ、加温機能のみとされてもよい。この布団カバー２０の上布層または下布層、クッション２６の一部または全部は省略されてもよい。
【００４２】
（３）第三実施形態  
１．抱き枕３０
図３は本発明の他の実施形態である抱き枕３０の断面を示しており、図４は抱き枕３０の使用状態を示している。抱き枕３０の形状としては、様々なものが考えられるが、本実施形態では、ふくろうの姿を模した形状をしている。つまり一方の先端が丸く突き出てふくろうの頭部を形成し、他方の先端は、細く尖り一方側（左側）に湾曲してふくろうの尻尾部を形成し、左側縁中央は突き出てふくろうの羽部を形成しており、右側縁は緩やかな曲線となってふくろうの腹部を形成し、抱き枕３０全体も左側に向かって緩やかに湾曲している。
【００４３】
また、抱き枕３０の表側上面（後述する消臭層３１a）には、ふくろう親子の図柄が全体にブルーなどの寒色系の色調で熱転写によりプリントされている。つまり、頭部には親ふくろうの顔が、胸部には胸羽毛が渦巻き状に描かれ、羽部には複数の波型形状で羽が、親フクロウの腹部には、子ふくろうの全身が描かれている。抱き枕３０の背面側の後述する消臭層３１には、図柄は描かれておらず、無地となっている。  
【００４４】
抱き枕３０は、互いに同形状、同じ大きさの２枚の布、つまり、抱き枕３０の上半分を覆う上布層と、下半分を覆う下布層とで、内部に収納されるクッション３７を覆っている。そして、上布層と下布層は、抱き枕３０のふくろうの姿を模した周縁で右側縁を残して、縫い合わされている。そして、抱き枕３０の縫い残された右側縁、つまり、ふくろうの腹部付近には線ファスナー３６（連結部）が縫いこまれており、開閉自在となっている。上布層、下布層の表面は、双方とも同じ素材の生地でできており、たとえば、バンブー繊維など抗菌性、消臭性、吸湿性にすぐれた素材が使用されている。
【００４５】
また、バンブー繊維は、静電気が生じにくく、表面に光沢があり、染色性、発色性にも優れており、表面には熱転写プリントにより鮮やかに図柄を描くことができ、また、肌触りもよいため、肌に触れる抱き枕３０の表面を覆う生地として使用することができる。これにより、抱き枕３０を長期に渡って衛生的に使用することができ、臭いが付着することもない。
【００４６】
図３は、抱き枕３０の断面を示している。抱き枕３０のカバーの上半分の上布層は、表面側から順に、すなわち図３の上から下へ、消臭層３１a、冷却層３２、断熱層３３、加温層３４、消臭層３１が積層されている。そして、冷却層３２、断熱層３３、加温層３４は、第一実施形態の冷却層１２、断熱層１３、加温層１４に使用されたものと同様の素材を使用することができる。
【００４７】
また下半分の下布層は、表面側から順に、すなわち図３の下から上へ、消臭層３１、冷却層３２、断熱層３３、加温層３４、消臭層３１ｂが積層されており、それぞれ上半分の上布層と同様の素材でできている。そして、上布層と下布層とは、縫合部３５で縫い合わされている。
【００４８】
消臭層３１aには、上述したように、ふくろう親子の図柄が全体にブルーなどの寒色系の色調で熱転写によりプリントされている。一方、消臭層３１ｂには、消臭層３１aと同様のふくろう親子の図柄が、全体にピンクまたはオレンジなどの暖色系の色調で熱転写によりプリントされて描かれている。
また、消臭層３１には、何も描かれておらず、無地となっている。
【００４９】
夏等、気温の高い季節には、冷却層３２側に隣接して積層された消臭層３１aを外側の表側にして抱き枕カバーを使用すれば、冷却層３２の作用により、肌の触れるとひんやりとした感触を楽しむことができる。この場合、冷却層３２と加温層３４は、断熱層３３によって遮蔽されているため、冷却層３２の冷却作用は、加温層３４の加温作用によって妨げられることがない。また、ふくろうの図柄がブルーなどの寒色系の色調で描かれているため、見た目にも涼しさを感じることができる。
【００５０】
反対に、冬等、気温の低い季節には、抱き枕３０のカバーの表裏を反転して反対側に裏返して、消臭層３１ｂ側を外側の表側にして、使用することにより、消臭層３１ｂ側に隣接して積層されている加温層３４の作用により、暖かさを感じることができる。これにより、１つの抱き枕３０で冷却機能と加温機能と簡単に切り替えることができる。
【００５１】
なお、抱き枕３０のカバーは薄いので、折り曲げ部３５で簡単に折り曲げることができる。図３では、分かりやすくするため折り曲げ部３５は破線の幅を有しているが、漸次薄くなって一点の折り曲げ部３５に収束してもよい。また、図３ではわかりやすくするため抱き枕３０の折り曲げた両端は厚く記載してある。
【００５２】
しかし、実際にはこの周縁を細くして、この細くなった先端にファスナー３６、３６が設けられてもよい。表裏を反転した状態でも、ファスナー（連結部）３６、３６で抱き枕３０の折り曲げた両端縁を連結し、その状態で固定することができる。  
【００５３】
この場合、冷却層３２と加温層３４は、断熱層３３によって遮蔽されているため、加温層３４の加温作用は、冷却層３２の冷却作用によって妨げられることがない。このため、寒い夜でも安眠することができる。そして、消臭層３１ｂには、ふくろうの図柄が全体にピンクまたはオレンジなどの暖色系の色調で描かれているため、見た目にも温かさを感じることができる。
【００５４】
内部のクッション３７は、フクロウの胴体部分に収納するものとフクロウの羽部分に収納するものとがそれぞれ内カバーに覆われた状態で収納されている。内カバーはバンブー繊維等、抗菌、消臭作用のある素材からできている。ファスナー（連結部）３６を開放すれば、このクッション３７が出し入れ可能となっている。
【００５５】
このクッション３７は、内部にポリウレタン等の低反発素材が収納内蔵されており、このため抱き枕３０に適度な重さが加えられ、また、長時間使用しても抱き枕３０の形状が崩れにくい。また、このクッション３７の内部には、ポリエチレン、ポリプロピレン等の合成樹脂でできた筒状粒状物も収納内蔵されており、筒状粒状物には挿通穴があるため、これにより抱き枕３０は通気性の良いものとなっている。さらに、筒状粒状物として、光触媒コ―ティングされたものを使用すれば、消臭、抗菌、防虫、分解効果を上げることができる。
【００５６】
また、ふくろうの胴体部分に収納するクッション３７の腹部付近には、窪みが形成されており、収納部６０となっており、後述する音声受信手段（ワイヤーレススピーカー６１）等が収納できる。
【００５７】
２．音声送受信手段    
図４には、上記抱き枕３０の使用状態が示されている。抱き枕３０の胴体部分に収納されるクッション３７の右側縁、線ファスナー（連結部）３６により開閉できる部分の近くには、窪みが形成され、収納部６０となっており、例えば、ワイヤーレススピーカー６１（ソニー製ポータブルワイヤーレススピーカー）（音声受信手段）が収納できる。
【００５８】
ポータブルワイヤーレススピーカー（音声受信手段）６１は、規格化された無線通信手段（ブルートゥース）により、途中に遮るものがあっても、１０ないし１００メートル程度離れた場所に設置された、このポータブルワイヤーレススピーカー（音声受信手段）６１とペアリングされた無線機、無線ＬＡＮを備えたパソコン、スマートフォン、携帯電話、ＰＨＳ、その他の通信機等（送信手段）からの音声を無線で受信することができる。
【００５９】
また、ペアリングは、ワンタッチ接続対応の無線ＬＡＮによる接続のパソコン、携帯電話、スマートフォン等であれば、ワイアレスポータブルスピーカー６１（音声受信手段）のペアエリングモードをオンにして、これらの機器をワイアレスポータブルスピーカー６１（音声受信手段）に接触させるだけで、ワイアレスポータブルスピーカー６１（音声受信手段）の電源がオンになり、ペアリングも完了する。
【００６０】
また、ペアリングを切断するときにも、再び、ペアリングした機器をワイアレスポータブルスピーカー（音声受信手段）６１に接触させれば、ペアリングは切断され、ワイアレスポータブルスピーカー６１（音声受信手段）の電源もオフになる。また、一つのポータブルワイヤーレススピーカー（音声受信手段）６１に対して、複数の機器をペアリングすることができ、また、同時に複数の機器にペアリングすることもできる。  
【００６１】
このため、例えば、病院内の病室で患者が使用している抱き枕３０にポータブルワイヤーレススピーカー（音声受信手段）６１を収納し、これと、ナースステーション内に設置されているパソコン（音声送信手段）６２をペアリングすれば、ナースステーションからパソコン６２（音声送信手段）の様々な音声を病室内の抱き枕３０の使用者に、無線で送信することができ、抱き枕３０の使用者が、安眠できるような音楽を送信することもできる。
【００６２】
また、複数の抱き枕３０の使用者が抱き枕３０の収納部６０にスマートフォン（音声送信手段）を収納し、この複数のスマートフォンとナースステーション内に置かれたポータブルスピーカー（音声送信手段）とをペアリングすれば、複数の抱き枕３０の使用者側から、ナースステーションのスマートフォン（音声受信手段）に向けて使用者の声、その他の音声を無線で送信することもできる。
【００６３】
このように、上記寝具には音声受信手段６１が内蔵され、外部の音声送信手段６２からの信号を音声に変換して寝具利用者に発音することができる。また、上記寝具には音声送信手段６２が内蔵され、寝具利用者の呼吸音または心臓の鼓動音などの音または助けを呼ぶ声などの声を信号に変換して外部の音声受信手段６１に送信することができる。
【００６４】
音声受信手段６１、音声送信手段６２間の通信手段としては、上述のように、ブルートゥースによるものでなくても、他の無線通信手段でも、有線通信手段でもよい。また、収納部６０に収納されるものとしては、上述したポータブルワイヤーレススピーカー（音声受信手段）６１以外にも、ＣＤ、ＭＤ、カセットテープ、ポータブルラジオ、笛、メロディーカード、音の出るおもちゃなどを収納部６０に収納して使用することもできる。
【００６５】
また、上述したように、抱き枕３０内部に発音手段を収納する以外にも、抱き枕３０外部に発音手段を取り付けて使用することもできる。これらにより、抱き枕３０を使用しながら、使用者の好みにあった音を楽しむことができ、音楽の種類によっては、さらに、安眠効果を高めることができる。
【００６６】
また、抱き枕３０には、発音手段以外にも、香りを発する手段を収納内蔵させてもよい。たとえば、安眠効果があるとされるラベンダー、スィートオレンジなどのアロマを含ませたハンカチ、布等を抱き枕３０内部に収納したり、抱き枕３０の外部に取り付ければ、さらに安眠効果を高めることができる。
【００６７】
なお、上記抱き枕３０の上布層が省略されてもよいし、逆に抱き枕３０の下布層が省略されてもよい。抱き枕３０は、上布層、下布層またはクッション３７の一部が省略されて、冷却機能のみ、加温機能のみとされてもよい。また、この抱き枕３０の上布層または下布層、クッション３７の一部または全部は省略されてもよい。
【００６８】
この第三実施形態で記載されていないことは、上記第一実施形態または第二実施形態で記載されている内容が参照及び引用される。例えば、消臭層３１、３１a、３１ｂ、冷却層３２、断熱層３３、加温層３４、消臭層３１、積層構造、その他の構成作用は、それぞれ第一実施形態または第二実施形態の消臭層１１a、１１ｂ、冷却層１２、断熱層１３、加温層１４、消臭層２１a、２１ｂ、冷却層２２、断熱層２３、加温層２４などに使用されたものと同様の素材、構成構造を使用することができる。
【００６９】
（４）第四実施形態  
図５及び図６は、他の実施例による抱き枕４０の断面を示している。抱き枕４０の外形は、実施形態３の抱き枕３０と同様のふくろうの姿を模した形状をしている。抱き枕４０の断面は、図５に示すように、互いに同じ大きさ、同じ形状をした二つの部分、上部５０と下部５１が厚さ方向に重ねられ積層されてできている。
【００７０】
上部５０の表面には、実施形態３の抱き枕３０と同様のふくろうの親子の図柄がブルーなどの寒色系の色調で描かれており、下部５１の表面は、無地となっている。そして、上部５０の周縁と、下部５１の周縁の一部とは、互いに縫合されて縫合部４７となっており、この縫合部４７で上部５０と下部５１とは互いに連結されている。
【００７１】
上部５０及び下部５１の周縁の縫合されていない部分にはそれぞれ線ファスナー４８、４８が縫いい付けられ、この上部５０の線ファスナー４８と下部５１の線ファスナー４８とは互いに開閉自在となって、連結及び離間が可能となっている。
【００７２】
図５に示すように、上部５０、下部５１とも、中心部には、クッション４６、４６が収納されており、それぞれのクッション４６、４６の上半分を覆う上布層と、下半分を覆う下布層が積層され、これら上布層と下布層とは互いに周縁で縫い合わされ、内側にクッション４６、４６が内蔵される。
【００７３】
上部５０の上布層は、表面の外側から順に、すなわち図５上から下へ、消臭層４１a、冷却層４２、断熱層４４が積層されており、断熱層４４がクッション４６を直接覆っている。これに対し、上部５０の下布層は、上部５０と下部５１の接触面５２から順に、すなわち図５下から上へ、消臭層４１、加温層４３、断熱層４４が積層されてできており、やはり、断熱層４４がクッション４６を直接覆っている。そして、上述したように、消臭層４１aの表面には、ブルーなどの寒色系の色調で、ふくろう親子の図柄が、熱転写によりプリントされている。
【００７４】
また、下部５１の上布層は、上部５０と下部５１の接触面５２から順に、すなわち図５上から下へ、消臭層４１ｂ、加温層４３、断熱層４４が積層され、断熱層４４がクッション４６を直接覆っている。また、下部５１の下布層は、表面の外側から順に、すなわち図５下から上へ、消臭層４１、冷却層４２、断熱層４４が積層さており、やはり、断熱層４４がクッション４６を直接覆っている。
【００７５】
つまり、上部５０と下部５１は互いの接触面５２を境にして、上下で対称な構造になっている。そして、図５に示した状態、つまり上部５０の上表面の外側に消臭層４１aが表れている状態では、上部５０の消臭層４１aのすぐ下に隣接して冷却層４２が積層され、さらに下部５１表面の消臭層４１すぐ上に隣接して冷却層４２が積層されている。
【００７６】
これに対して、加温層４３、４３は、断熱層４４、４４の間に挟まれて覆われ、更に、二つのクッション４６、４６の間に挟まれて覆われており、加温層４３、４３の加温作用が、冷却層４２、４２の冷却作用を妨げることがない。
【００７７】
このため、図５に示されたように、冷却層４２、４２に隣接する消臭層４１a、４１を表面の外側にした状態で、抱き枕４０を使用すると、表面がひんやりとして、夏の気温の高い日には、涼しい感触を楽しむことができる。また、表面には、ブルーなどの寒色系の色調で、ふくろう親子の図柄が、熱転写によりプリントされているため、見た目にも涼しさを感じることができる。
【００７８】
ファスナー４８を解除して開放して、上部５０、下部５１それぞれを図５の矢印方向に開いて離間させ、上部５０と下部５１とを反対側に折り返して反転させて、上部５０、下部５１の間の接触面５２側が外側の上表面及び下表面側になった状態で、上部５０、下部５１をファスナー４８で再び連結して、抱き枕４０を反転した状態で固定することができる。図６は、この状態を示している。
【００７９】
この抱き枕４０は厚みがあるが、全体として撓むので、抱き枕４０を反転させたリバーシブル状態でも、ファスナー４８、４８付近で撓ませて、上部５０と下部５１とを連結することができる。図５及び図６では、分かりやすくするため折り曲げ部４７、４７は破線の幅を有しているが、漸次薄くなって一点の折り曲げ部４７、４７に収束してもよい。
【００８０】
この場合、上部５０の上布層は、外側の上表面から順に、すなわち図６上から下へ、消臭層４１、加温層４３、断熱層４４となり、上部５０の下布層は、上部５０と下部５１の接触面５２から順に、消すなわち図６下から上へ、臭層４１ａ、冷却層４２、断熱層４４となる。
【００８１】
また、下部５１の上布層は、上部５０と下部５１の接触面５２から順に、すなわち図６上から下へ、消臭層４１、冷却層４２、断熱層４４となり、下部５１の下布層は、外側表面から順に、すなわち図６下から上へ、消臭層４１ｂ、加温層４３、断熱層４４となる。  
【００８２】
この場合、上部５０、下部５１とも、表面の外側に表れた消臭層４１、４１ｂに隣接して加温層４３、４３が積層されているので、加温層４３、４３の加温作用により、接するものの表面が温められ、冬の寒い日には、抱き枕４０を抱えると、体を温めることができ、安眠することができる。これにより、１つの抱き枕４０で冷却機能と加温機能と簡単に切り替えることができる。
【００８３】
この場合にも、冷却層４２、４２が、断熱層４４、４４の間に挟まれて覆われ、更に二つのクッション４６、４６の間に挟まれて覆われているため、加温層４３、４３の加温作用が、冷却層４２、４２の冷却作用によって妨げられることがなく、充分に加温作用を発揮することができる。
【００８４】
また、消臭層４１ｂの表面には、消臭層４１aの表面に描かれているものと同様のふくろう親子の図柄が、熱転写プリンタにより、全体にピンクまたはオレンジなどの暖色系の色調で描かれており、見た目にも温かさを感じることができるデザインとなっており、それぞれに季節感を出している。  
【００８５】
クッション４６、４６は、表面を覆う布の形、大きさに合わせた形、大きさとなっており、第三実施形態と同様に、低反発ポリウレタン、ビーズ、綿等が収納されており、抱き枕４０に適度の重さと、通気性を与えている。
【００８６】
また、消臭層４１、冷却層４２、加温層４３、断熱層４４に用いられる素材は、実施形態３の抱き枕３０のそれぞれの消臭層３１、冷却層３２、加温層３４、断熱層３３に用いられたのと同様の素材を用いることができる。あるいは、消臭層３１はなくてもよいし、各層の間に積層してもよいし、他の層が消臭作用を併せ持つような構造としてもよい。  
【００８７】
なお、上記上部５０の下布層及び下部５１の上布層が省略されてもよいし、逆に上部５０の上布層及び下部５１の下布層が省略されて、抱き枕４０は、冷却機能のみ、加温機能のみとされてもよい。この上部５０または下部５１の上布層または下布層、クッション４６、４６の一部または全部は省略されてもよい。
【００８８】
本実施形態の抱き枕４０にも、第三実施形態の抱き枕３０と同様に、抱き枕４０の内部に窪みを設けて、ポータブルワイヤーレススピーカー（音声受信手段）６１を収納し、ペアリングした機器から、無線で音声を受信するようにしてもよい。あるいは、外部に置かれた機器に向けて、無線で音声を送信できるようにしてもよい。
【００８９】
この第四実施形態で記載されていないことは、上記第一実施形態、第二実施形態または第三実施形態で記載されている内容が参照及び引用される。例えば、消臭層４１、４１ａ、４１ｂ、冷却層４２、加温層４３、断熱層４４、積層構造、その他の構成作用は、それぞれ第一実施形態、第二実施形態または第三実施形態の消臭層１１a、１１ｂ、冷却層１２、断熱層１３、加温層１４、消臭層２１a、２１ｂ、冷却層２２、断熱層２３、加温層２４、消臭層３１、３１a、３１ｂ、冷却層３２、断熱層３３、加温層３４、消臭層３１などに使用されたものと同様の素材、構成構造を使用することができる。
【００９０】
(５)他の実施の形態
本発明は、上記実施形態に限定されず、種々変更可能である。例えば、本発明の寝具、上記布団１０、枕カバー２０、抱き枕３０、４０は、抱き枕、枕、掛布団、敷布団、寝袋、枕カバー、布団カバー、座布団等に変更でき、寝具であればなんでも応用できる。また、大きさ、形状は、それぞれの寝具の機能を発揮できるものであれば、どんな大きさ、形状であってもよい。
【００９１】
寝具が抱き枕３０、４０である場合、実施形態では、ふくろうの姿を模した形状であったが、他の動物、植物等を模した形状でも、単なる円柱形、楕円柱形、三日月形、球形、かまぼこ型、扁平型、円錐形、直方体、多角錐形、鼓型、中空形等でもよく、抱き枕として使用可能な形状であればどんな形状でもよい。
【００９２】
実施形態では、抱き枕３０、４０の片方の表面には、ふくろうの図柄が熱転写でプリントされていたが、インクジェット等によるプリント、染色、刺しゅうなど、他のどのような手法によって図柄・模様が形成されてもよいし、他のどんな図柄でもよい。また、図柄が全くない無地のものでもよい。
【００９３】
消臭層１１a、１１ｂ、２１a、２１ｂ、３１、３１a、３１ｂ、４１、４１a、４１ｂに使用される素材としては、バンブー繊維以外にも、「サニター３０」、キチキトサン繊維でもよいし、繊維にカキタンニンを含むまたは、付着された布、これらの混合物その他、消臭機能または脱臭機能のある繊維、布などでもよい。
【００９４】
また、消臭層１１a、１１ｂ、２１a、２１ｂ、３１、３１a、３１ｂ、４１、４１a、４１ｂには、光触媒加工された、抗菌、消臭作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、シャインアップ（繊維、布、綿、株式会社クラレの製品）、ディスメル（東洋紡績株式会社の商品）、エピコモド（東洋紡績株式会社の登録商標、東洋紡績株式会社の商品）、これらの混合物等、消臭効果、保温効果、抗菌効果、乾燥効果、吸湿効果を奏する材質なら何でもよい。
【００９５】
消臭層１１a、１１ｂ、２１a、２１ｂ、３１、３１a、３１ｂ、４１、４１a、４１ｂは、寝具の表面に積層されていたが、各冷却層１２、２２、３２、４２、各断熱層１３、２３、３３、４４、各加温層１４、２４、３４、４３のいずれかの間または全部の間に積層されていてもよいし、各層が消臭機能を同時に備えていてもよい。また、消臭層１１a、１１ｂ、２１a、２１ｂ、３１、３１a、３１ｂ、４１、４１a、４１ｂの全部または一部はなくてもよい。    
【００９６】
加温層１４、２４、３４、４３の加温素材としては、遠赤外線を発する素材のほか、粉末鉄のように発熱効果のあるものでもよく、ロンウェーブ以外でも、羊毛ゼオライト、溶岩シーツ（おとぎの国）、ヤンロン加工布、トルマリン粒子が付着した布またはバイネストセラなどを用いてもよい。「羊毛ゼオライト」、「バイネストセラ」は、天然鉱石であるゼオライトを加工したセラミックスとその微粒子を羊毛などの天然繊維の表面に堅牢に付着させたもの、これらの混合物でもよい。
【００９７】
冷却層１２、２２、３２、４２としては、接触冷感素材、たとえばキュープラテ（東レ株式会社の商品、登録商標）やクールタッチ（三菱レイヨン株式会社の製品、登録商標）などを使用することができるし、粘性流体内蔵シート、含水ゲル内蔵シート、キシリトール加工したものなどを使用してもよいし、これらの混合物を用いてもよい。  
【００９８】
断熱層１３、２３、３３、４４、の素材は、上記ポリエステル、綿等、空気を内部に多く保持することのできる素材のほか、多数の発泡スチロールのビーズ小玉を内蔵した物、編んだ毛糸、羽毛シート、バブルシート（プチプチシート）のように空気を多く含むもの、新聞紙、セルロースファイバー、ポリスチレンフォーム、ウレタンフォーム、グラスウールなどの断熱材などでもよい。
【００９９】
音声受信手段６１は、無線で音声受信できるポータブルスピーカーであったが、これ以外の音声受信装置であってもよいし、音声受信手段６１はなくてもよい。また、音声送信手段６２も、パソコン以外に、スマートフォン、携帯電話、ＰＨＳ、ゲーム機器等なんでもよいし、音声送信装置６２はなくてもよい。
【０１００】
音声受信装置６１、音声送信手段６２は、寝具１０、２０、３０、４０の内部のどこに収納されてもよいし、寝具１０、２０、３０、４０の外部に取れつけられていても良い。また、音声受信装置６１、音声送信手段６２はなくてもよい。
【０１０１】
音声を発する手段としては、無線で他の場所から送信されるもの以外に、寝具１０、２０、３０、４０内部に収納されるあるいは寝具１０、２０、３０、４０の外部に取り付けられるＣＤ、ＭＤ、カセットテープ、笛、メロディーカード、音の出るおもちゃ等なんでもよいし、発音手段が全くなくてもよい。
【０１０２】
また、寝具１０、２０、３０、４０には、発音手段以外に、香りを発する手段を収納させてもよいし、表面に香りをつけてもよい。たとえば、安眠効果があるとされるラベンダー、スィートオレンジなどのアロマを含ませたハンカチ、布等を寝具１０、２０、３０、４０に収納すれば、さらに安眠効果を高めることができる。
【０１０３】
本寝具１０、２０、３０、４０の積層構造は、図１、２、３、５で示した構造のそれぞれの一部または全体はなくてもよいし、任意の１つまたは２つ以上の層が他の1つまたは２つの層と入れ替わってもよく、他の層がさらに付加、積層、混合されていてもよい。本寝具１０、２０、３０、４０に用いられる布は、合成繊維、再生繊維、半合成繊維、天然繊維、人工繊維、化学繊維でもよいし、ゴム、不燃・難燃繊維：ガラス繊維、金属繊維、セラミック繊維、火山岩繊維、岩石繊維等、不燃性または難燃性の繊維で折られた布または不織布、これらの混合物でもよい。
【０１０４】
また、寝具内部のクッション２６、３７、４６に含まれる素材としては、ポリウレタン以外の低反発の素材、高反発の素材を収納してもよいし、ビーズ以外に綿、蕎麦殻、スポンジ、パンヤ、これらの混合物等、通常寝具の内容物として使用するものまたはクッション性を有するものならば、なんでもよい。
【０１０５】
また、折り曲げられた寝具の端を互いに連結する手段である連結部２７、３６、４８としては、線ファスナーのほか、面ファスナー、スナップボタン、ボタンとボタンホール、フックとホック、紐、磁石、上記寝具を外側から拘束する通気性の高いカバーまたはバンド等なんでもよいし、折り曲げられた寝具の端から端まで連結するものでも、一部のみを連結するものでもよい。また、連結部２７、３６、４８はなくてもよい。
【０１０６】
上記クッション２６、３７、４６に、断熱層１３、２３、３３、４４と同じ構造作用を持たせて、断熱層１３、２３、３３、４４を省略してもよい。上記断熱層１３、２３、３３、４４に、クッション２６、３７、４６と同じ構造作用を持たせて、クッション２６、３７、４６を省略してもよい。
【０１０７】
上記折り曲げ部２５、３５、及び連結部２７、３６、４８の設けられた端縁としては、消臭層１１a、１１ｂ、冷却層１２、断熱層１３、加温層１４、消臭層２１a、２１ｂ、冷却層２２、断熱層２３、加温層２４、プリント面消臭層（寒色系）３１a    プリント面消臭層（暖色系）３１ｂ、冷却層３２、断熱層３３、加温層３４、折り曲げ部３５  連結部３６  クッション３７  抱き枕４０  消臭層（図柄なし）４１  プリント面消臭層（寒色系）４１a、プリント面消臭層（暖色系）４１ｂ、冷却層４２、加温層４３、断熱層４４の全体が繋がっているもののほか、これらの各層が薄くなったり、各層の一部が省略されたりして厚みが薄くなっていてもよいし、折り曲げ部２５、３５で完全に分離分断されて、縫合、面ファスナー、線ファスナー、スナップボタン、ボタンとボタンホール、フックとホック、紐、磁石で連結されていてもよいし、これに応じて連結部２７、３６、４８の数はいくつになってもよい。
【０１０８】
上述の各実施形態（実施例）において、当該実施形態（実施例）で記載されていないことは、他の実施形態（実施例）の記載されている内容が参照及び引用される。本願明細書及び特許請求の範囲においては、上記複数の実施形態（実施例）にわたって、各部または一部を入れ替えた実施形態（実施例）も、上記各実施形態（実施例）として記載されているものである。
【０１０９】
布団１０、消臭層１１、冷却層１２、断熱層１３、加温層１４、布団カバー２０、消臭層２１、冷却層２２、断熱層２３、加温層２４、折り曲げ部２５、クッション２６、連結部２７、抱き枕３０、消臭層３１、プリント消臭層（寒色系）３１a、プリント消臭層（暖色系）３１ｂ、冷却層３２、断熱層３３、加温層３４、折り曲げ部３５、ファスナー（連結部）３６、クッション３７、抱き枕４０、消臭層４１、プリント消臭層（寒色系）４１a、プリント消臭層（暖色系）４１ｂ、冷却層４２、加温層４３、断熱層４４、クッション４６、縫合部４７、ファスナー（連結部）４８、上部５０、下部５１、接触面５２、収納部６０、音声送信手段６１、音声受信手段６２のそれぞれの一部または全体はなくてもよいし、その数は増えても減ってもよいし、その形状は任意に変更可能であり、均等の他のものに置き換えられてもよいし、これらの２つまたは３つ以上が合体または一体化されて兼用されていてもよい。
【０１１０】
（６）他の発明の効果
［１］人体に対して冷却作用のある素材からなる冷却層と、この冷却層に積層され、熱を通しにくい断熱層と、この断熱層に対して、上記冷却層とは反対側に積層される、人体に対して加温作用のある素材からなる加温層とからなる寝具。これにより、断熱層を間に挟むことによって、冷却層の冷却作用、加温層の加温作用が互いに打ち消し合うことがなく、冷却作用、加温作用とも充分発揮されるため、季節や気温に合わせて、適した面を肌に触れさせて、快適に寝具を使用することができる。
【０１１１】
［２］上記積層される冷却層、断熱層、加温層を折り曲げて、外側に冷却層を配置する、または反対側に折り曲げて外側に加温層を配置する折り曲げ部と、この積層された冷却層、断熱層、加温層の端に設けられ、上記折り曲げられた両端を連結して、この折り曲げられた状態を保持する連結部とを備えたことを特徴とする請求項１記載の寝具。これにより、本発明の寝具を表裏裏返して季節や気温に合わせて、適した面を表側にして使用することができる。
【０１１２】
［３］上記冷却層、断熱層及び加温層のいずれかまたは全部の間、若しくは冷却層の外側、または加温層の外側には、消臭作用のある層が積層されている、若しくは上記冷却層、断熱層または加温層に消臭効果が付加されていることを特徴とする請求項２記載の寝具。これにより、長期間寝具を使用しても寝具に臭いが付着することがなく、寝具を快適に使用することができる。
【０１１３】
［４］上記寝具には受信手段が内蔵され、外部の発信手段からの信号を音声に変換して寝具利用者に発音することを特徴とする請求項２記載の寝具。これにより、たとえば、別な部屋から寝具使用者に音声を届けることができる。
【０１１４】
［５］上記寝具には送信手段が内蔵され、寝具利用者の音または声を信号に変換して外部の受信手段に送信することを特徴とする請求項２記載の寝具。これにより、寝具使用者から、別の部屋にいる介護者等に対して、使用者の音声等を届けることができる。
【０１１５】
［６］上記寝具は、抱き枕、枕、掛布団、敷布団、寝袋、枕カバー、布団カバー、座布団であることを特徴とする請求項２記載の寝具。これにより、これらの寝具を表裏裏返して季節、気温に適した面を表側にして使用することができる。
【０１１６】
［７］上記連結部は、線ファスナー、面ファスナー、上記寝具を外側から拘束する通気性の高いカバーまたはバンドであることを特徴とする請求項６記載の寝具。これにより、本発明の寝具を表裏裏返した状態で保持することができる。
【産業上の利用可能性】
【０１１７】
本発明の寝具は、冷却層と加温層が、断熱層で隔てられているため、それぞれの冷却作用、加温作用を充分に発揮することができ、一年を通して寝具を快適に使用することができる。
【０１１８】
たとえば、布団１０では、消臭層１１a、冷却層１２、断熱層１３、加温層１４、消臭層１１ｂの順に積層されており、夏には消臭層１１a側を、冬には消臭層１１ｂ側を肌に触れさせることによって、それぞれの季節にあった使用ができる。
【０１１９】
また、抱き枕３０では、抱き枕カバーが、外側から消臭層３１a、冷却層３２、断熱層３３、加温層３４、消臭層３１ｂの順に積層された構造となっており、内部のクッション３７を覆っている。この抱き枕カバーは、裏表反転させて、外側から消臭層３１ｂ、加温層３４、断熱層３３、冷却層３２、消臭層３１aとすることもできる。したがって、夏には消臭層３１a側を外側表面に、冬には消臭層３１ｂ側を外側表面にして使用することができる。    
【図１】
2016016032.tif 000003
【図２】
2016016032.tif 000004
【図３】
2016016032.tif 000005
【図４】
2016016032.tif 000006
【図５】
2016016032.tif 000007
【図６】
2016016032.tif 000008